(57)【特許請求の範囲】
【請求項１】
堰体を形成する可撓性膜製包被を略筒袋状体にして河川横断方向に取付け、前記袋状体内部に対し圧力流体を供給排出することにより膨張収縮させるようにした起伏堰において、前記袋状体に給排気装置を連結し、またこの袋状体と外部との間に、作業員が工具、資材等を伴って歩行可能な非変形性気密通路を設けるとともに、この通路の一端に位置する袋状体の一部に前記気密通路と同径に切除穿設した開口部を設け、また外部に通じる通路の他端には開閉可能な一枚の気密性扉体を配設したことを特徴とする作業員出入可能な可撓性膜製起伏堰。
【請求項２】
堰体を形成する可撓性膜製包被を略筒袋状体にして河川横断方向に取付け、前記袋状体内部に対し圧力流体を供給排出することにより膨張収縮させる堰体に、前記袋状体に給排気装置を連結し、またこの袋状体と外部との間に、作業員が工具、資材等を伴って歩行可能な非変形性気密通路を設けるとともに、この通路の一端に位置する袋状体の一部に開口部を設け、また通路の他端には開閉可能な一枚の気密性扉体を配設した可撓性膜製起伏堰において、前記袋状体から圧力流体を一旦排出し、次に前記気密性扉体を開いて工具、資材等を伴った作業員が前記通路に侵入し、その後気密性扉体を閉じるとともに袋状体及び通路に空気を供給することによって袋状体を膨張せしめ、かつ通路の空気圧を同一にし、この通路から袋状体の開口部を経由して袋状体内に作業員が侵入し、その作業員が所定の作業を終了して前記開口部から通路に出た後に、袋状体から空気を排出せしめて外気と同圧となった時点で気密性扉体を開いて外部に出ることを特徴とする可撓性膜製起伏堰内への作業員出入方法。
【発明の詳細な説明】
【０００１】
【産業上の利用分野】
この発明は、可撓性膜製起伏堰内の保守点検等を行う作業員が同堰内に出入りするに際し、この堰内に通じる通路に配設した気密性扉体が一枚であっても安全に出入りすることができるようにした作業員出入可能な可撓性膜製起伏堰及び可撓性膜製起伏堰内への作業員出入方法に関するものである。
【０００２】
【従来の技術】
可撓性膜製起伏堰とは、例えばゴム引布製の包被を二つ折りにし、端縁を重ね合わせて河床に取付け固定して筒形の袋状体とし、この袋状体となった堰内に空気又は水等の圧力流体を供給することにより膨張起立させ、また前記圧力流体を排出することにより収縮倒伏させるようにしたものである（特公昭４０−１１７０２号公報、同４４−２３７１号公報参照）。
【０００３】
ところがこの可撓性膜製起伏堰も、流木等の外圧又は経年的な材質劣化等により破損することがあるため、これを定期的に点検したり、破損箇所が生じた場合は、これを修理しなければならないことになる。
【０００４】
そのため従来一般に行われていた方法は、前記可撓性膜製起伏堰から圧力流体を全て排出してこの堰を倒伏状態にし、法面部又は河床部に対する取付金具を外して前記重合部を開き、この部分から横這状態になって、作業員が工具等とともに堰内部に潜り込み、その後、再び取付金具で前記重合部を閉じるとともに堰を取付け固定して、再び前記堰内に空気を送り堰を膨張起立せしめる。そして起立完成後作業を行い、作業終了後、再び堰から排気し収縮倒伏させ、前記取付金具を外してその部分から外部に出、再び取付金具で堰を取付けるようにしていたのである。
【０００５】
ところがこれによると、堰内に潜り込んで再び堰を起立させるまでの間は重い包被の自重によって作業員は圧迫されることになり、したがって作業員が堰内に潜り込みことはもちろんのこと、工具等を持ち込むこともはなはだ困難であるのみならず、空気の供給によって堰が膨張起立させたとしても、そこは封じ込まれた空間であるため、作業員にとっては強い恐怖感があり、精神的不安感がともなうことは避けられない。またこのような環境における作業であるために、人身事故の原因を常に包含しているのみならず、緊急時の脱出又は救出にも問題なしとしない。
【０００６】
さらに作業に際しては、通信機器及び照明器具等を持ち込む必要があるところ、そのためには、前記堰の一部に、これら通信機や照明器具のケーブル導入の開口部を確保しなければならないことになるが、そのことによって、堰内部は完全気密状態が保持されないため、常時給気が必要となるのみならず、気圧のバランスが崩れると、堰は倒伏することもあり、また堰が倒伏する場合も長い堰のどの部分から倒伏するかも分からないため、これが危険性を増幅する一因ともなっている。
【０００７】
また上記のような危険性に関する課題以外には、前記のような堰の取付金具を外したり、又は再度取り付ける等、直接的な作業に先立つ前段階の準備に多くの時間を要するのみならず、堰内部に搬入する資材等にも限度があるため、その作業性も良好とはいえないものがあった。
【０００８】
そこでこれを解決するためのものとして、例えば特公昭５７−４０２９２号公報に示すものが開発され、一部実施実績がある。これによると、堰体を形成する可撓性膜製包被を略筒袋状体にして河床に河川を横断する方向に取り付け、包被内部に圧力流体を供給排出することにより膨張収縮するようにした前記起伏堰において、前記堰体内部と外部との間に、人間の出入りあるいは工具、資材等の搬入可能な通路ａを設けるとともに、この通路ａには少なくとも二箇所の気密性扉体ｂ，ｂ’で仕切り、仕切られた内部には自由に圧力調節可能に構成されている。また前記二枚の気密性扉体ｂ，ｂ’には、それぞれバルブｃ，ｃ’が配設されていた。
【０００９】
そしてこれによると、前記堰体を膨張起立させた状態で前記通路ａに配設した奥（堰体側）の気密性扉体ｂ’を閉じておいて入口（外部側）の気密性扉体ｂを開いて作業員が工具等を伴って前記通路ａに入り、その後入口側の気密性扉体ｂを閉じ、両気密性扉体ｂ，ｂ’間の通路ａ内に入口の気密性扉体ｂのバルブｃから給気する。給気は堰体内に圧力と同程度になるまで行うが、これが終了し次第、前記バルブｃを閉じ、次に奥の気密性扉体ｂに配設しているバルブｃ’を開いて、通路ａ内と堰体内の気圧を同じにした上で、奥の気密性扉体ｂ’を開く。
【００１０】
そして作業員が堰体内に入り、しかるべき作業をして、再び奥の気密性扉体ｂ’から通路ａに出た後、この気密性扉体ｂ’及びバルブｃ’を閉じ、そして入口の気密性扉体ｂのバルブｃを開いて、この通路ａ内の気圧を外部と同一にした後、入口の気密性扉体ｂを開いて外部に出るのである。
【００１１】
【発明が解決しようとする課題】
しかしこれによると、通路ａに気密性扉体を二枚配設しなければならないという装置としての非経済性もさることながら、これらの気密性扉体ｂ，ｂ’にそれぞれバルブｃ，ｃ’を配設しなければならないために、これら気密性扉体ｂ，ｂ’の構造も複雑になり、かつ例えば奥の気密性扉体ｂ’のバルブｃ’に故障が生じると、入口の気密性扉体ｂが仮に適正に機能している場合も、双方の気密性扉体ｂ，ｂ’間の通路ａ内の気圧は堰体内と同一になるために、はなはだ高いことになり、その結果、これを知らずに入口の気密性扉体ｂを開くことは甚だしい危険をともなうという危険性を有している。
【００１２】
このことは基本的には堰体内に給気した状態、すなわち堰体を膨張起立させた状態で作業員の出入りを行うことにそもそも無理があると言わざるを得ない。そもそもこの種の可撓性膜製起伏堰内への人間の出入りに際しては、堰体内の気圧がきわめて高いことに鑑み、安全性を最優先させるべきである。
【００１３】
つまり前記公報に示されているものにあっては、危険性は完全に解消していることにはならないため実施不可能であることもあり得るので、普及型の装置ということはできないのである。
【００１４】
【課題を解決するための手段】
そこでこの発明に係る作業員出入可能な可撓性膜製起伏堰（請求項１）は前記の課題を解決するために、堰体を形成する可撓性膜製包被を略筒袋状体にして河川横断方向に取付け、前記袋状体内部に対し圧力流体を供給排出することにより膨張収縮させるようにした起伏堰において、前記袋状体に給排気装置を連結し、またこの袋状体と外部との間に、作業員が工具、資材等を伴って歩行可能な非変形性気密通路を設けるとともに、この通路の一端に位置する袋状体の一部に前記気密通路と同径に切除穿設した開口部を設け、また外部に通じる通路の他端には開閉可能な一枚の気密性扉体を配設したものである。
【００１５】
またこの発明に係る可撓性膜製起伏堰内への作業員出入方法（請求項２）は前記の課題を解決するために、堰体を形成する可撓性膜製包被を略筒袋状体にして河川横断方向に取付け、前記袋状体内部に対し圧力流体を供給排出することにより膨張収縮させる堰体に、前記袋状体に給排気装置を連結し、またこの袋状体と外部との間に、作業員が工具、資材等を伴って歩行可能な非変形性気密通路を設けるとともに、この通路の一端に位置する袋状体の一部に開口部を設け、また通路の他端には開閉可能な一枚の気密性扉体を配設した可撓性膜製起伏堰において、前記袋状体から圧力流体を一旦排出し、次に前記気密性扉体を開いて工具、資材等を伴った作業員が前記通路に侵入し、その後気密性扉体を閉じるとともに袋状体及び通路に空気を供給することによって袋状体を膨張せしめ、かつ通路の空気圧を同一にし、この通路から袋状体の開口部を経由して袋状体内に作業員が侵入し、その作業員が所定の作業を終了して前記開口部から通路に出た後に、袋状体から空気を排出せしめて外気と同圧となった時点で気密性扉体を開いて外部に出るようにしたものである。
【００１６】
【実施例】
次にこの発明に係る作業員出入可能な可撓性膜製起伏堰及び可撓性膜製起伏堰内への作業員出入方法の一実施例を図２に基づいて述べると、１はゴム引布製の可撓性膜製包被を略筒袋状体にして河川横断方向に取り付け、かつ前記袋状体内部に対して圧力流体（空気又は水）を供給排出させることにより膨張収縮させるようにした起伏堰本体であり、前記の説明の限りでは、従来から一般に用いられていた可撓性膜製起伏堰と変わるところはない。
【００１７】
この起伏堰本体１には、給排気装置を連結してあるが、この起伏堰本体１が空気の供給排出により膨張収縮するものにあっては、そのための給排気装置と兼ねることもあるが、給排水によって膨張収縮するものにあっては、別途配設するものとする。
【００１８】
また前記起伏堰本体１の取付けは、従来と同様に河川横断方向に配設し、かつ前記包被を二つ折りした状態でその端縁を重合せしめて河床等に取付金具を用いて取付けるのである。したがってこの取付箇所は、河床の中央部のみならず、河川内側法面にも取付けられるのである。
【００１９】
２は作業員が工具、資材等を持って歩行可能な直径と空間を有する気密性通路であり、この気密性通路２は河川両側又は一側の堤３内にトンネル状（縦坑及び横坑）に形成し、それ自体が非変形性に形成されている。またこの気密性通路２の一端は、起伏堰本体１を構成する包被の一部を、前記気密性通路２と同径に切除穿設した開口部５’に臨んでおり、他端は堤３外に露見するように形成されている。尚、前記開口部５’の周囲における包被は、これを河床又は法面に取付金具４によって固定されている。
【００２０】
６は気密性通路２の堤３外側開口部５に配設した気密性扉体であり、この気密性扉体６は前記開口部５を密閉するように開閉自在に配設してあるとともに、その数は一枚である。
【００２１】
尚、図中７は前記気密性通路２における縦坑部に配設した昇降用のタラップ７である。
【００２２】
そこで前記起伏堰本体１内に侵入する場合は、まず起伏堰本体１から圧力流体である空気又は水を排出せしめ、起伏堰本体１を倒伏状態とする。そして、気密性扉体６を開いて開口部５から気密性通路２に、作業員が工具、資材等を持ち込み、前記気密性扉体６によって開口部５を閉じ、気密性通路２が気密状態になった時点で起伏堰本体１内に空気を供給する。この場合、前記起伏堰本体１の膨張に用いる圧力流体が空気である場合は、その給気装置を用いて給気することができるが、水である場合は、別途設けた給気装置によって行うものとする。
【００２３】
いずれにしても起伏堰本体１に給気されると、起伏堰本体１は徐々に膨張起立することになるとともに、この空気は起伏堰本体１の開口部５’から気密性通路２内にも侵入することになる。起伏堰本体１の大きさにも関係するところであるが、一般的には２０分前後で起伏堰本体１の膨張起立が完了することになるので、作業員の気密性通路２における待ち時間は、さして問題ではない。
【００２４】
そこで作業員は、膨張起立した起伏堰本体１内に入り込み、点検又は修理等のしかるべき作業をし、終了後、前記とは逆方向に移動し、常時開放されている前記開口部５’から気密性通路２内に入る。
【００２５】
そして起伏堰本体１から排気し、起伏堰本体１内を減圧せしめ、この減圧によって気密性扉体６を開くことに危険性が消滅した時点で気密性扉体６を開く。すると気密性通路２の気密性扉体６からも排気が行われることになるが、この気密性通路２は非変形性のものであるため、常に一定の形状及び空間を保持することになるため、作業員はここを歩行しながらタラップ７を上り外部に出ることができるとともに、工具等を持ち出すことができ、気密性扉体６を閉じるものとする。
【００２６】
【発明の効果】
前記のようにこの発明に係る作業員出入可能な可撓性膜製起伏堰（請求項１）によれば、堰体を形成する可撓性膜製包被を略筒袋状体にして河川横断方向に取付け、前記袋状体内部に対し圧力流体を供給排出することにより膨張収縮させるようにした起伏堰において、前記袋状体に給排気装置を連結し、またこの袋状体と外部との間に、作業員が工具、資材等を伴って歩行可能な非変形性気密通路を設けるとともに、この通路の一端に位置する袋状体の一部に前記気密通路と同径に切除穿設した開口部を設け、また外部に通じる通路の他端には開閉可能な一枚の気密性扉体を配設してあるので、
【００２７】
これによって前記袋状体から圧力流体を一旦排出し、次に前記気密性扉体を開いて工具、資材等を伴った作業員が前記通路に侵入し、その後気密性扉体を閉じるとともに袋状体及び通路に空気を供給することによって袋状体を膨張せしめ、かつ通路の空気圧を同一にし、この通路から袋状体の開口部を経由して袋状体内に作業員が侵入し、その作業員が所定の作業を終了して前記開口部から通路に出た後に、袋状体から空気を排出せしめて外気と同圧となった時点で気密性扉体を開いて外部に出ることができ、したがって気密性扉体が一枚であっても、その作業にともなう危険性は完全に払拭され、安全な作業環境を提供することができるという効果を有する。
【００２８】
またこの発明に係る可撓性膜製起伏堰内への作業員出入方法（請求項２）によれば、堰体を形成する可撓性膜製包被を略筒袋状体にして河川横断方向に取付け、前記袋状体内部に対し圧力流体を供給排出することにより膨張収縮させる堰体に、前記袋状体に給排気装置を連結し、またこの袋状体と外部との間に、作業員が工具、資材等を伴って歩行可能な非変形性気密通路を設けるとともに、この通路の一端に位置する袋状体の一部に開口部を設け、また通路の他端には開閉可能な一枚の気密性扉体を配設した可撓性膜製起伏堰において、前記袋状体から圧力流体を一旦排出し、次に前記気密性扉体を開いて工具、資材等を伴った作業員が前記通路に侵入し、その後気密性扉体を閉じるとともに袋状体及び通路に空気を供給することによって袋状体を膨張せしめ、かつ通路の空気圧を同一にし、この通路から袋状体の開口部を経由して袋状体内に作業員が侵入し、その作業員が所定の作業を終了して前記開口部から通路に出た後に、袋状体から空気を排出せしめて外気と同圧となった時点で気密性扉体を開いて外部に出るようにしてあるので、
【００２９】
その作業にともなう危険性は完全に払拭され、安全な作業環境を提供することができるという効果を有する。
【図面の簡単な説明】
【図１】  この発明の一実施例を示す断面図である。
【図２】  この発明の一実施例を示す平面図である。
【図３】  図２のＡ−Ａ線拡大断面図である。
【図４】  従来例を示す断面図である。
【符号の説明】
１  起伏堰本体
２  気密性通路
３  堤
４  取付金具
５  開口部
５’  開口部
６  気密性扉体
７  タラップ
【図１】
0003669379.tif 000002
【図２】
0003669379.tif 000003
【図３】
0003669379.tif 000004
【図４】
0003669379.tif 000005